【事件の表示】
　平成　４年特許願第１２３０１６号「磁気ディスク装置」拒絶査定に対する審判事件［平成　５年１１月２６日出願公開、特開平　５−３１４６４１］について、次のとおり審決する。
【結　論】
　本件審判の請求は、成り立たない。
【理　由】
［１］本願発明
　本願は、平成４年５月１５日の出願であって、その請求項１係る発明は、平成１３年２月５日及び平成１３年５月２５日付けの手続補正書によって補正された明細書及び図面の記載からみて、本願の特許請求の範囲の請求項１に記載された下記のとおりのものと認める（以下、本願発明という。）。
　
「外径が64mm以下の磁気ディスクを回転自在に軸支するモータの軸受け部に流体軸受けを設けた磁気ディスク装置であって、前記モータのロータの一端面側に磁気ディスクと外周部が前記磁気ディスクの内周部と当接するとともに前記外周部の肉厚が中央部の肉厚よりも厚いディスク押さえ部材とを配置し、前記ディスク押さえ部材を介して前記ロータと螺合するネジの締め付け力で前記ディスク押さえ部材を押圧して前記磁気ディスクを前記ロータに取り付け、前記ロータの他端面の中央部に凹部を設け、前記ロータの凹部の側壁にスリーブを取り付け、前記ロータの凹部の底部にスラスト軸受を取り付け、前記モータのシャフトは前記モータの基台に固定立設され、前記シャフトに対して摺動回転する前記スリーブよりなる軸受け部に設けられた流体軸受けとして、前記シャフトの外周面および前記スリーブの内周面の少なくともいずれか一方面にグルーブを設け、このグルーブにオイルまたはグリースを保持したことを特徴とする磁気ディスク装置。」
　
［２］当審において拒絶理由通知に引用された刊行物
１．特開平　１−２７６４６５号公報
　
直径６４ｍｍ以下のディスクを用いた磁気ディスク装置の周知例
２．国際出願公開パンフレットＷＯ９１／１９２８８号
３．特開平３−１０８１７８号公報
　
スリーブの底部にスラスト軸受をもうけた流体軸受の周知例
４．特開昭６１−１１２５４７号公報
５．特開平　２−２１１０４５号公報
　
ディスク押さえ部材の周知例　
６．実願平１−１０２３１４号（実開平３−４５２６４号）のマイクロフィルム
７．特開平　２−１０５３７７号公報
８．特開昭６３−０００８５９号公報
　
［３］刊行物に記載された事項
〈刊行物１〉
「ハブとスリーブの間に円筒状のモータを内蔵し、ベースの方向にスラスト軸受によるスラスト吸引力を有しラジアル軸受の外周にヘリングボーン溝を設けたモータロータとを有する流体軸受式スピンドルモータと、上記スラスト軸受に回転可能に取り付けられ、磁気記録可能な磁気ディスクと、この磁気ディスクの上で、基準位置を軸受の中心としてデータの書込み読出しを行なう磁気ヘッドとを備えた固定磁気ディスク装置」（特許請求の範囲）
　
「本発明は上記目的を達成するためにスピンドルモータ軸受に玉軸受を使用しない流体軸受を採用することにより固定磁気ディスク装置に掛る衝撃による軸受の破壊、疲労、騒音の増加を防ぐようにしたものである。
　　作用
　本発明は流体軸受式スピンドルモータを固定磁気ディスク装置に使用することにより次の様な効果を有する。
　すなわち、スピンドルモータの軸受をラジアル軸受、スラスト軸受を組み合わせた「ガタ」の少ない構造とし、軸受の間に、オイル・グリスを組合せた潤滑剤で作った潤滑剤を作る。」（第２頁左上欄第１行〜第１３行）
　
「第１図は本発明の一実施例を示すものである。第１図において、１１は流体軸受式スピンドルモータであり、１２は磁気ディスク、１３は磁気ヘッドである。磁気ヘッド１３は、基準位置を軸受１１の中心とする磁気ディスク１２の上でデータの書き込み読み出しを行う。１４はラジアル軸受、１５はスラスト軸受である。
　なお、流体軸受スピンドルモータ１１は、特開昭６２−１４０２７１号公報にも記載されているように、ベースに片持ち支持された固定軸の外周にスリーブと一体に加工され、一体になって回転するハブを有し、ハブとスリーブの間に円筒状のモータを内蔵し、このモータロータはベースの方向にスラスト軸受１５によるスラスト吸引力を有し、ラジアル軸受１４（固定軸）の外周またはスリーブの内周のいずれか一方にヘリングボーン溝を設けたものである。この流体軸受式スピンドルモータ１１は、軸の一端をベースに固定し、ハブとスリーブ一体に設けハブの内周に円筒状のモータを内蔵することにより軸振れの少ない高精度な流体軸受式ディスク駆動装置を得ることができる。」（第２頁右上欄第４行〜左下欄第４行）
　
　第１図には、１１流体軸受式スピンドルモータ、１２磁気ディスク、１３磁気ヘッド、１４ラジアル軸受、１５スラスト軸受が記載されている。
　
刊行物２
「Title：TWO AND ONE HALF INCH DAIAMETER MULTIPLE DISK DRIVE」
「The disks are maintained on hub 112 by means of clamp 26 which is affixed to the shaft by screw 116. 」（第７頁第１５行〜第１７行）
　
刊行物３
「ディスク・ドライブは多数のデータ記憶ディスク１２を備えており、その公称直径は２６ｍｍ」（第３頁左上欄第１５行〜第１７行）
　
刊行物４
「第１図に示す本発明の一実施例としてのディスク駆動モータは、磁気ディスク（１）を装着する円筒カップ形に形成されたスピンドルハブ（２）の径内にモータ本体を組付け薄型化を計ったもので、基本的には第２図に示した従来例とほぼ同じである。すなわち、スピンドルハブ（２）の中心部には下端の開口した回転スリーブ（３）が設けられ、この回転スリーブ（３）の外周面とスピンドルハブ（２）の周側部の内周面との間に対しロータとステータとが構成されているのである。ロータは、スピンドルハブ（２）の周側部の内周面に装着されたヨーク（４）に円筒形の界磁用マグネット（５）を固着してなり、ステータは、スピンドルハブ（２）の反対側に配設されたベースプレート（６）の上面に突き出す筒部（７）の外周に装着されたステータコア（８）と駆動用コイル（９）よりなる。ベースプレート（６）の中心には固定シャフト（１０）が上向きに植設され、前記回転スリーブ（３）がこの固定シャフト（１０）に嵌装されているのである。回転スリーブ（３）は固定シャフト（１０）に対し固定シャフト（１０）の端面と回転スリーブ（３）の底との間がスラスト流体軸受（１１）により、回転スリーブ（３）の内周面と固定シャフト（１０）の外周面との間がラジアル流体軸受（１２）により、非接触状態で回転可能に支承されている流体軸受要素は滑り面の間に流体の圧力膜を形成して滑り面を引き離した状態に支えるもので、発生する圧力膜の荷重を支える圧力の大きさは流体の粘性に大きく依存するものである。なお、図中、符号（１３）は電子回路を構成した回路基板を、（１４）は回路基板（１３）に固定されロータの磁極位置を検出するホール素子を、（１５）は流体軸受の構成の一部である。固定シャフト（１０）に形成された溝をそれぞれ示す。」（第２頁右上欄第６行〜左下欄第１８行）
　
刊行物５
「第１図において、１５は軸でこの軸１５の下端部はプラケット１６に固定され、軸１５の上端部は自由端にされている。この軸１５には回転体２５が回転自在に嵌装されている。即ち回転体２５はスピンドル２６の内周面２６aに固定された軸受用中空円筒スリーブ２７と、スピンドル２６の上端面中央部に設けられた凹部に固定されたスラスト板１９とスピンドル２６の下端面に設けられたロータヨーク２０、ロータマグネット２１とからなっている。スラスト板１９の上端面には、高精度に仕上げられた円筒状凸部１９aが設けられ、外部移動体（図示せず）の上下移動用の案内基準軸となっている。
　なお、軸１５と軸受用中空円筒スリーブ２７の隙間と軸１５の自由端端面とスラスト板１９の端面との間には、潤滑剤２４が入れてあるが、条件によってはいれなくてもよい。
　更に、第１図においては軸１５にヘリングボーン溝１５aを設け、軸受用中空円筒スリーブ２７はストレートになっているが第２図に示されるように軸１５はストレートで、軸受用中空円筒スリーブ２７にヘリングボーン溝２７aを設けてもよい。
　又、スラスト板１９の軸１５の上端面と接離する端面には第３図に示されるようなスパイラル溝１９bを通常形成するが、軸１５と軸受用中空円筒スリーブ２７の間で軸方向の力を発生できる場合は、スパイラル溝１９bを設けなくてもよいし、又常にスラスト板と接離する軸１５の上端面にスパイラル溝を設けてもよい。」（第３頁左下欄第１９行−第４頁左上欄第９行）
　
刊行物６（従来例），７，８
　外周部が内周部より肉厚のディスク押さえ部材とねじにより、磁気ディスクを取り付ける構成が記載されている。
　
［４］刊行物１の発明
　刊行物１には、磁気ディスクがハブに取り付けられたとする記載がないが、ハブに磁気ディスクを取り付けることは周知であり（刊行物２，４，７，８参照。）、第１図において、１２磁気ディスクはハブ（番号及び部材名無）に取り付けられているというものであり、スリーブについても図示されていないが、第１図における１４ラジアル軸受に沿って記載された部材がスリーブであることは明かであり（刊行物４，５参照）、上記［３］に摘記した刊行物１に記載された事項及び第１図から、刊行物１には、
「流体軸受けを設けた磁気ディスク装置であって、ハブとスリーブを一体に設け、ハブとスリーブの間に円筒状のスピンドルモータを内蔵し、磁気ディスクをハブに取り付け、ハブの凹部の底部をスラスト軸受とし、このモータロータはベースの方向にスラスト軸受による吸引力を有し、ベースに片持ち支持された固定軸をラジアル軸受とし、ラジアル軸受の外周またはスリーブの内周のいずれかにヘリングボーン溝を設け、軸受の間にオイル・グリースを組合せた潤滑剤を有する磁気ディスク装置。」の発明（以下、刊行物１の発明という。）が記載されていると認められる。
　
［５］本願発明と刊行物１の発明との対比
　本願発明と刊行物１の発明を対比すると、両者はスラスト軸受と流体軸受を有する磁気ディスク装置で共通し、
　刊行物１の発明の「ハブはスリーブの間に円筒状のスピンドルモータを内蔵し」、「このモータロータはベースの方向にスラスト軸受による吸引力を有」することから、ハブのスリーブ側にロータを有する「ハブ」であり、刊行物１の発明の「ハブ」は、本願発明の「ハードディスク21は、モータ22のローター23の上面部に取り付けられ、上方からディスク押さえ部材24を介してネジ25で押圧固定されている。このモータ22のステーター基台26にはコイル27が周方向に固定されており、コイル27と対向するローター23の下面にはコイル27との間に空間を保って磁石28が固定されている。また、モータ22のシャフト29はモータ22の基台26に固定されて立設されており、モータ22のローター23下部中央の凹部にはスリーブ30がシャフト29を支軸として回転自在になるように取り付けられている。」【００１１】の「ロータ」に相当する。
　また、刊行物１の発明の「ベース」「ヘリングボーン溝」は本願発明の「基台」「グルーブ」に相当するから、両者は以下の発明で一致すると認められる。
「磁気ディスクを回転自在に軸支するモータの軸受け部に流体軸受けを設けた磁気ディスク装置であって、前記磁気ディスクを前記モータのロータの一端面側に取り付け、前記ロータの他端面の中央部に凹部を設け、前記ロータの凹部の底部にスラスト軸受を取り付け、ロータの凹部の側壁にスリーブを設け、前記モータのシャフトは前記モータの基台に固定立設され、前記シャフトに対して摺動回転する前記スリーブよりなる軸受け部に設けられた流体軸受けとして、前記シャフトの外周面および前記スリーブの内周面の少なくともいずれか一方面にグルーブを設け、このグルーブにオイルまたはグリースを保持したことを特徴とする磁気ディスク装置。」
　
　以下の点で相違する。
　１．磁気ディスクの外径が、本願発明では64mm以下であるのに対して、刊行物１の発明ではそのような限定がない点。
　２．磁気ディスクを取付ける手段が、本願発明では磁気ディスクと外周部が前記磁気ディスクの内周部と当接するとともに外周部の肉厚が中央部の肉厚よりも厚いディスク押さえ部材を配置し、ディスク押さえ部材を介して前記ロータと螺合するネジの締め付け力で前記ディスク押さえ部材を押圧して取付けるのに対して、刊行物１の発明では取付け手段が記載されていない点。
　
［６］相違点
　相違点について判断する。
相違点１について　
　刊行物２，３に示されるように外径が６４ｍｍ以下の磁気ディスクは公知であり、磁気ディスクの小型化は常に求められている技術の流れであり、刊行物１の発明における磁気ディスクの直径を６４ｍｍ以下に規定することは、適宜設計できることと認められる。
　
相違点２について
　ディスク押さえ部材の外周部が前記磁気ディスクの内周部と当接するとともに、外周部の肉厚が中央部の肉厚よりも厚いディスク押さえ部材を配置し、ディスク押さえ部材を介してロータと螺合するネジの締め付け力により、磁気ディスクをロータの一端に取り付ける手段は周知である（刊行物６〜８を参照。）。刊行物１の発明において、ディスクの取付けを前記周知のディスク押さえ部材を用いることは容易に推考できることと認められる。
　
　出願人は、平成１４年４月１５日付けの意見書に「本願発明の課題である、記録面積が小さくなるのを、ハブ径を小さくし、ディスクの内径側をできるだけ利用できるようにして、記録面積の減少をできるだけ少なくし、記録面積の確保を図ることに言及した刊行物はありません。」と記載しているが、本願発明は「【００１５】　図４は本発明の他の実施例の磁気ディスク装置におけるモータ内部の構成を示す要部断面図である。図４において、
スリーブ30の外径寸法が従来のボールベアリング装置を使用する場合に比較して小さくなる
　
［７］むすび　
　したがって、本願発明は、引用例に記載された発明に基づいて当業者が容易に発明をすることができたものであるので、特許第２９条第２項の規定により特許を受けることができない。　
　よって、結論のとおり審決する。